(57)【要約】【課題】  アップリンクの帯域割り当てをフレーム内または次フレーム内で行う端末を区別し、処理遅延を短縮可能とする。【解決手段】  基地局と１以上の端末が無線回線を介して接続され、周期的なデータ伝送を行うことが可能な無線通信システムであって、基地局は、所定のフレーム周期で端末に対して、アップリンクの帯域割り当てを行い、その帯域割り当て情報をフレームの先頭の通知領域で端末に通知し、端末は、フレームの通知領域で通知されたアップリンクの割り当て帯域情報に基づく帯域でデータ送信を行う帯域割り当て方法において、基地局は、特定の端末に対して、フレームの通知領域で通知するアップリンクの帯域割り当てを同フレーム内に設定し、特定の端末以外には、フレームの通知領域で通知するアップリンクの帯域割り当てを次フレーム内に設定する。【選択図】        図１
2010124203.tif 000002
【特許請求の範囲】
【請求項１】
基地局と１以上の端末が無線回線を介して接続され、端末から基地局へのアップリンクまたは基地局と端末との間の双方向のリンクにおいて周期的なデータ伝送を行うことが可能な無線通信システムであって、
前記基地局は、所定のフレーム周期で前記端末に対して、前記アップリンクの帯域割り当てを行い、その帯域割り当て情報をフレームの先頭の通知領域で前記端末に通知し、
前記端末は、前記フレームの通知領域で通知された前記アップリンクの割り当て帯域情報に基づく帯域でデータ送信を行う帯域割り当て方法において、
前記基地局は、特定の端末に対して、前記フレームの通知領域で通知する前記アップリンクの帯域割り当てを同フレーム内に設定し、特定の端末以外には、前記フレームの通知領域で通知する前記アップリンクの帯域割り当てを次フレーム内に設定する
ことを特徴とする帯域割り当て方法。
【請求項２】
請求項１に記載の帯域割り当て方法において、
前記基地局は、前記各端末に対して、予め前記フレームの通知領域で前記アップリンクの帯域割り当てを同フレーム内に設定して通知し、前記端末から前記アップリンクのデータを受信したか否かを検出し、前記アップリンクのデータを受信できた端末を前記特定の端末とし、その他の端末を前記特定の端末以外とする
ことを特徴とする帯域割り当て方法。
【請求項３】
請求項１に記載の帯域割り当て方法において、
前記基地局は、所定の品質条件が設定された端末に対して、予め前記フレームの通知領域で前記アップリンクの帯域割り当てを同フレーム内に設定して通知し、当該端末から前記アップリンクのデータを受信したか否かを検出し、前記アップリンクのデータを受信できた端末を前記特定の端末とし、その他の端末を前記特定の端末以外とする
ことを特徴とする帯域割り当て方法。
【請求項４】
請求項２または請求項３に記載の帯域割り当て方法において、
前記基地局は、前記アップリンクのデータの誤り検出を行い、所定回数連続して誤りを検出したときに、当該データを送信した端末を前記特定の端末以外とする
ことを特徴とする帯域割り当て方法。
【発明の詳細な説明】
【技術分野】
【０００１】
本発明は、基地局と１以上の端末との間で無線回線を介して通信を行う無線通信システムにおいて、音声信号をＩＰパケットに収容して通信を行う際の通信品質の中で、特に処理遅延特性を改善する帯域割り当て方法に関する。本発明は、マイクロ波帯を用いた無線アクセス標準規格であるＷｉＭＡＸ(Worldwide Interoperability for Microwave Access) 規格に基づく無線通信における低遅延化技術に適する。
【背景技術】
【０００２】
近年、広域の無線アクセスシステムとして注目されているＷｉＭＡＸは、ホーム・オフィス環境や限定された公衆エリアでの無線ＬＡＮであるIEEE802.11系の規格（11b,11a,11g,11n 等）と異なり、基地局から半径数キロメートル以上をエリアとした広域サービスの実現が可能である。ＷｉＭＡＸの規格としては、固定無線によって接続するＦＷＡ（Fixed Wireless Access)と呼ばれるIEEE802.16-2004 規格や、移動しながら通信できるモバイルＷｉＭＡＸと呼ばれるIEEE802.16e-2005規格など、現在も更なる進化を伴う標準化が進められている。
【０００３】
このＷｉＭＡＸには、複数の物理／ＭＡＣレイヤの規定が含まれている。その物理層で採用の直交周波数分割多元接続（ＯＦＤＭＡ：Orthogonal Frequency Division Multiple Access)の規格では、ダウンリンクとアップリンクを時分割複信（ＴＤＤ：Time Division Duplexing)で振り分け、５ｍ秒周期フレームの前半にダウンリンクサブフレームを配置し、後半にアップリンクサブフレームを配置している。
【０００４】
図５は、ＷｉＭＡＸにおけるフレーム構成を示す。図において、横軸は時間、縦軸は周波数である。ＯＦＤＭＡでは、全周波数帯域を多数のサブキャリアに分割し、時間方向は所定の時間長のＯＦＤＭシンボル単位に刻まれている。各端末には、サブキャリア（またはサブキャリア群（サブチャネル））とＯＦＤＭシンボル番号の組み合わせで規定されるスロットを割り当て、そのスロット内にバースト的に信号を収容して通信を行う。
【０００５】
１フレームは、ダウンリンクサブフレーム１１とアップリンクサブフレーム１２で構成される。ダウンリンクサブフレーム１１では、基地局から各端末への信号が連続的に送信され、その区間の先頭にチャネル推定等を行うためのプリアンブル信号１３が配置される。さらに、プリアンブル信号１３に後続して、フレーム制御ヘッダ（ＦＣＨ：Frame Control Header) １４、ダウンリンクのマップ情報であるＤＬ−ＭＡＰ１５、アップリンクのマップ情報であるＵＬ−ＭＡＰ１６が配置され、その後にユーザデータまたは制御情報を収容したダウンリンクバースト１７およびアップリンクバースト１８の割り当てが行われる。
【０００６】
一般に、ダウンリンクサブフレーム１１およびアップリンクサブフレーム１２内に、多数のバースト割り当てが行われることになるので、その割り当てに応じた情報要素が連続的にＦＣＨ１４に後続して配置される。その際、制御情報のオーバヘッドを圧縮して効率を向上させるために、多数のマップ情報の重複した情報を一括する圧縮（Compressed）ＭＡＰと呼ばれる表示形式でマップ情報が記述される。
【０００７】
図６は、ＷｉＭＡＸにおけるＵＬ−ＭＡＰによるアップリンクバーストの割り当ての概要を示す。
ＷｉＭＡＸでは、図５に記載のＵＬ−ＭＡＰ１６内の Allocation Start Timeフィールドでアップリンクバーストの割り当て位置を示す。この割り当ては、通常、信号処理に要する遅延時間を確保するため、ＵＬ−ＭＡＰ１６が収容された同一フレームのアップリンクサブフレーム１２を避け、次のフレームのアップリンクフレーム１２内を指し示すことになる。例えば、第ｎフレームのＤＬ−ＭＡＰ１５−１は、同一フレーム内のダウンリンクバースト１７−１の割り当てを行うが、第ｎフレームのＵＬ−ＭＡＰ１６−１は、第（ｎ＋１）フレーム内のアップリンクバースト１２−２の割り当てを行う（非特許文献１）。
【０００８】
なお、以下の説明では、アップリンクの割り当ては Allocation Start Timeフィールドでαフレーム先の割り当てをする、等の記述を用いるが、図６の場合は１フレーム先であり、α＝１に相当する。
【０００９】
図７は、従来技術におけるスケジューリング処理手順を示す。
図において、第ｎフレーム用のスケジューリング処理を開始すると（S201）、まず第（ｎ＋１）フレームのアップリンクのスケジューリングを実施する（S202）。ここでは、ＵＧＳコネクションなどの予約済みのスケジューリングは優先的に行い、ベストエフォートコネクションなどは優先度を下げてスケジューリングを行うが、すべて次の第（ｎ＋１）フレームのアップリンクバーストに関する割り当てである。次に、第（ｎ＋１）フレームのアップリンクバーストに関するＵＬ−ＭＡＰを作成し、第ｎフレームのダウンリンクサブフレーム内のＵＬ−ＭＡＰ領域に収容する（S203）。このＵＬ−ＭＡＰの帯域はフレームごとに異なるので、確定したＵＬ−ＭＡＰ用の帯域を除外した第ｎフレームのダウンリンクの残り帯域を計算する（S204）。次に、第ｎフレームのダウンリンクの残り帯域の範囲で、第ｎフレームのダウンリンクのスケジューリングを実施し（S205）、第ｎフレームのダウンリンクバーストに関するＤＬ−ＭＡＰを作成し、第ｎフレームのダウンリンクサブフレーム内のＤＬ−ＭＡＰ領域に収容し（S206）、スケジューリング処理を終了する（S207）。ここで、従来のスケジューリング処理の特徴は、すべての端末のAllocation Start Time が共通であり、α＝１に固定して運用されるところにある。
【００１０】
さて、ＷｉＭＡＸは、広域の無線アクセスサービスの提供に適したシステムであり、過疎地域でのデジタルデバイド（情報格差）の解消などのために有効な技術として注目されている。このような過疎地域にブロードバンドサービスを提供する場合、その無線アクセス回線を用いて音声系のサービスも可能であることから、従来は個別に電話線を引いていた固定電話サービスも、将来的には無線アクセス回線の中に収容することが考えられる。ここで、地域ごとに市外局番が先頭について「03-****-****」や「045-***-****」などの電話番号（通称で「０ＡＢ−Ｊ番号」と呼ばれる）を用いた固定電話サービスは、「090-****-**** 」や「050-****-**** 」などの移動系およびＩＰ電話とは別物と位置づけられ、例えば発信場所を特定できたり緊急通報に対応できるなどの利用条件（以下、「０ＡＢ−Ｊ品質」という）が規定されている（非特許文献２）。
【００１１】
通信事業者は、この０ＡＢ−Ｊ品質のＩＰ電話サービスを光ファイバを用いた回線を利用して提供している。ここで、０ＡＢ−Ｊ番号の利用条件として規定されている固定電話並みの通話品質には遅延時間も含まれており、ＵＮＩ−ＵＮＩ間で70ｍ秒、ＵＮＩ−ＮＮＩ間で50ｍ秒と規定されている。アクセス系に関する配分は明記されていないが、仮に上記の差分がアクセス系への配分と仮定するならば、０ＡＢ−Ｊ品質のＩＰ電話の場合にはアクセス系で20ｍ秒以下の遅延を満たす必要がある。有線回線である光ファイバを用いた従来のサービスは、このアクセス回線での20ｍ秒という遅延条件はそれほど厳しいものではない。しかし、ＷｉＭＡＸは５ｍ秒周期のフレーム単位で伝送を行い、さらに処理も複雑であることから、ＣＳＭＡ（Carrier Sense Multiple Access)を採用し処理も単純で低遅延な無線ＬＡＮと異なり、遅延時間20ｍ秒のハードルは非常に厳しいものであった。
【００１２】
無線回線としてＷｉＭＡＸ規格に準拠したシステムを用いた場合の処理遅延の内訳を整理すると、(a) ５ｍ秒と長いフレーム周期、(b) 送信側でのインタフェース部の処理、(c) 帯域割り当てまでの待ち時間、(d) 送信側のＭＡＣ処理および物理層処理、(e) 送信開始までのタイミング調整、(f) 受信側の物理層処理およびＭＡＣ処理、(g) 出力のためのインタフェース部の処理など、その複雑な仕様に起因してＩＥＥＥ802.11等の無線ＬＡＮに比べて格段に長い処理遅延が必要であった。この無線回線で発生する処理遅延および遅延の揺らぎは、ベストエフォート型のサービスでは問題にならないレベルであるが、０ＡＢ−Ｊ品質のＩＰ電話サービスを提供するには無視できない問題となる。
【非特許文献１】IEEE Std 802.16-2004,"IEEE Standard for Local and metropolitan area networks, Part 16: Air Interface for Fixed Broadband Wireless Access Systems", 6.3.7.2〜6.3.7.5 章，2004年
【非特許文献２】http://www.soumu.go.jp/s-news/2007/070124＿3.html
【発明の開示】
【発明が解決しようとする課題】
【００１３】
以上説明したように、ＷｉＭＡＸ等の比較的長いフレーム周期をもった無線通信システムを介してＩＰ電話のデータ転送を行う場合には、処理遅延が増大する問題を解決する必要があった。特に、０ＡＢ−Ｊ品質のＩＰ電話サービスを提供する場合には、無線区間の処理遅延を20ｍ秒以下に抑える必要があるが、既存の無線通信システムをみる限りではこの要求条件を満足することは困難である。
【００１４】
なお、ＷｉＭＡＸ規格の中では、バースト割り当てを行うフレームのタイミングをＩＰ電話等のアプリケーションのデータの到着と同期させて効率的な割り当てを行うことは可能であるが、ＩＰ電話等のアプリケーションのクロックと無線基地局が管理するフレーム周期または無線基地局の内部クロックとを完全に同期させることは不可能である。その結果として、１フレーム分の割り当て待ちの遅延時間を回避することができない。
【００１５】
図８は、従来技術におけるアップリンクの送信処理動作を示す。ここでは、図６に示すフレーム＃ｎからフレーム＃ｎ＋２におけるアップリンクバーストの割り当てを例に説明する。例えば、フレーム＃ｎ＋１のアップリンクの割り当ては、フレーム＃ｎのＵＬ−ＭＡＰ１６−１で行われる。端末側は、ＵＬ−ＭＡＰ１６−１の受信処理を行い、この受信処理が完了した時刻t1の時点で送信バッファ内に収容されているデータをアップリンクバースト１２−２に収容して送信する。同様に、フレーム＃ｎ＋２のアップリンクの割り当ては、フレーム＃ｎ＋１のＵＬ−ＭＡＰ１６−２で行われる。端末側は、ＵＬ−ＭＡＰ１６−２の受信処理を行い、この受信処理が完了した時刻t4の時点で送信バッファ内に収容されているデータをアップリンクバースト１２−３に収容して送信する。すなわち、データが時刻t1の直後の時刻t2に到着しても、時刻t4の直前の時刻t3に到着しても、同一のフレーム＃ｎ＋２のアップリンクバースト１２−３に収容して送信されることになる。このアップリンクバースト１２−３は基地局に受信され、時刻t5で基地局は受信処理して再生したデータを出力する。したがって、フレーム＃ｎ＋２のアップリンクバースト１２−３に収容されるデータのうち、時刻t2のタイミングで端末装置に入力したデータの処理遅延が最大となり、時刻t3のタイミングで端末装置に入力したデータの処理遅延が最小となる。
【００１６】
ここで、ＩＰ電話とＷｉＭＡＸシステムは完全に非同期であるために、この時刻t2から時刻t3の間に一様分布するように端末装置にデータが到着している。したがって、最大５ｍ秒の遅延揺らぎが避けられず、最悪値である時刻ｔ２のタイミングで端末装置に入力したデータについても、要求品質である遅延20ｍ秒以下となることが求められる。
【００１７】
ところで、図６を参照して説明したように、特にアップリンクの帯域割り当てには、ほぼ２フレーム分の処理遅延が必要となり、クロックの不完全同期による１フレームを加えると、この時点で既に３フレーム分、すなわち20ｍ秒中の15ｍ秒もの配分を使い尽くしている。さらに、実際には受信側の受信信号処理や、データの入出力時のインタフェース部で付加される遅延、またネットワーク側でのＡＳＮゲートウェーなどでの処理遅延などが必要となるため、要求条件を満たすためには処理遅延時間を短縮するための工夫が求められている。
【００１８】
本発明は、アップリンクの帯域割り当てをフレーム内または次フレーム内で行う端末を区別し、処理遅延を短縮可能とする帯域割り当て方法を提供することを目的とする。
【課題を解決するための手段】
【００１９】
本発明は、基地局と１以上の端末が無線回線を介して接続され、端末から基地局へのアップリンクまたは基地局と端末との間の双方向のリンクにおいて周期的なデータ伝送を行うことが可能な無線通信システムであって、基地局は、所定のフレーム周期で端末に対して、アップリンクの帯域割り当てを行い、その帯域割り当て情報をフレームの先頭の通知領域で端末に通知し、端末は、フレームの通知領域で通知されたアップリンクの割り当て帯域情報に基づく帯域でデータ送信を行う帯域割り当て方法において、基地局は、特定の端末に対して、フレームの通知領域で通知するアップリンクの帯域割り当てを同フレーム内に設定し、特定の端末以外には、フレームの通知領域で通知するアップリンクの帯域割り当てを次フレーム内に設定する。
【００２０】
基地局は、各端末に対して、予めフレームの通知領域でアップリンクの帯域割り当てを同フレーム内に設定して通知し、端末からアップリンクのデータを受信したか否かを検出し、アップリンクのデータを受信できた端末を特定の端末とし、その他の端末を特定の端末以外とする。
【００２１】
また、基地局は、所定の品質条件が設定された端末に対して、予めフレームの通知領域でアップリンクの帯域割り当てを同フレーム内に設定して通知し、当該端末からアップリンクのデータを受信したか否かを検出し、アップリンクのデータを受信できた端末を特定の端末とし、その他の端末を特定の端末以外とする。
【００２２】
さらに、基地局は、アップリンクのデータの誤り検出を行い、所定回数連続して誤りを検出したときに、当該データを送信した端末を特定の端末以外とする。
【発明の効果】
【００２３】
本発明は、処理遅延時間が長くなるアップリンクにおいて、Allocation Start Time の値を短く設定可能な端末に対しては、アップリンクの帯域割り当てを当該フレーム内に設定することにより、１フレーム分の処理遅延を短縮することができる。その結果、遅延短縮が可能な端末を選択して利用することにより、ＷｉＭＡＸ等の無線通信システムを用いるユーザに対して、０ＡＢ−Ｊ品質のＩＰ電話サービスを提供することができる。
【発明を実施するための最良の形態】
【００２４】
図１は、本発明におけるAllocation Start Time の最適値確認処理手順を示す。
図において、基地局は、各端末に対するコネクション確立後、個別にAllocation Start Time の最適値αの確認処理を開始する（S1）。まず、α＝０として試験用のアップリンクバーストを割り当て（S2）、該当するアップリンクバーストを受信する。ここで、当該アップリンクバーストが符号誤りなしに正常に受信されたか否かを判断する（S3）。当該アップリンクバーストが正常に受信できた場合には、その端末に対してα＝０として運用するように登録し（S6）、処理を終了する（S7）。
【００２５】
一方、当該アップリンクバーストが正常に受信できない場合には、端末側は正常に送信したにもかかわらず符号誤りによって正常に受信できなかった可能性もあるので、正常受信に連続失敗した回数をカウントし、その回数が所定の閾値Ｍ（例えばＭ＝３）に達したか否か判断し（S4）、Ｍ回連続して正常受信に失敗するまでステップS2に戻って同様の処理を繰り返す。Ｍ回連続して正常受信に失敗した場合には、その端末は当該フレームのアップリンクバーストの割り当てに対応できないものと判断し、α＝１として運用するように登録し（S5）、処理を終了する（S7）。
【００２６】
なお、ステップS3では、当該アップリンクバーストが符号誤りなしに正常に受信されたか否かを判断しているが、当該アップリンクバーストの信号受信レベルを検出し、少なくとも端末側がそのアップリンクバーストに信号を送信していることをもって「正常受信」として判断してもよい。
【００２７】
また、図１に示す処理は、必ずしも全ての端末に対して実施しなくてもよい。例えば、伝送品質に関する要求がベストエフォート型のサービスクラスであった場合、予約された帯域がある訳でもなく、遅延時間が多少長くなっても特に問題はない。一方、ＵＧＳのように帯域予約を伴うサービスクラスの場合は、遅延に関しては短縮化が強く望まれる。したがって、このような遅延に関する要求条件（品質条件）ごとに、図１の処理の実施の必要性を設定し、その設定に応じて必要なコネクションに対してこの処理を実施してもよい。または、全ての端末に対して図１の処理を実施し、試験用のアップリンクバーストを正常受信してステップS6でα＝０と設定した端末のうち、ベストエフォート型のサービスクラス等の一部のサービスクラスに対して、α＝１と再設定して運用してもよい。
【００２８】
以上の処理により、端末ごとにAllocation Start Time の最適値αを取得し、その後のスケジューリングについては以下の処理となる。
【００２９】
図２は、本発明におけるスケジューリング処理手順を示す。
図において、第ｎフレーム用のスケジューリング処理を開始すると（S11)、まず第（ｎ＋１）フレームのアップリンクとして、予約済みの帯域を除いた残帯域を算出する（S12)。ここで、予約済み帯域とは、Allocation Start Time 値α＝１のコネクションに加え、α＝０のコネクションも含めて評価する。すなわち、第ｎフレームと第（ｎ＋１）フレームの両方のＵＬ−ＭＡＰにおいて、第（ｎ＋１）フレームのアップリンクに割り当てられる予約済み帯域の総和である。
【００３０】
次に、α＝１であるコネクションに対して、第（ｎ＋１）フレームのアップリンクのスケジューリングを実施する（S13)。ここでは、ＵＧＳコネクションなど予約済みのスケジューリングは優先的に行い、ベストエフォートコネクションなどは優先度を下げてスケジューリングを行う。次に、第（ｎ＋１）フレームのアップリンクバーストに関するＵＬ−ＭＡＰを作成し、第ｎフレームのダウンリンクサブフレーム内のＵＬ−ＭＡＰ領域に収容する（S14)。続けて、第（ｎ＋１）フレームのスケジューリングで割り当て済み帯域を除いた第ｎフレームの残帯域を算出する（S15)。次に、α＝０であるコネクションに対して、第ｎフレームのアップリンクのスケジューリングを実施する（S16)。次に、第ｎフレームのアップリンクバーストに関するＵＬ−ＭＡＰを作成し、第（ｎ＋１）フレームのアップリンクバーストに関するＵＬ−ＭＡＰとマージして最終的なＵＬ−ＭＡＰを作成し、第ｎフレームのダウンリンクサブフレーム内のＵＬ−ＭＡＰ領域に収容する（S17)。
【００３１】
このＵＬ−ＭＡＰの帯域はフレームごとに異なるので、確定したＵＬ−ＭＡＰ用の帯域を除外した第ｎフレームのダウンリンクの残り帯域を計算する（S204）。次に、第ｎフレームのダウンリンクの残り帯域の範囲で、第ｎフレームのダウンリンクのスケジューリングを実施し（S205）、第ｎフレームのダウンリンクバーストに関するＤＬ−ＭＡＰを作成し、第ｎフレームのダウンリンクサブフレーム内のＤＬ−ＭＡＰ領域に収容し（S206）、スケジューリング処理を終了する（S18)。
【００３２】
以上が本発明におけるスケジューリング処理であるが、ここであるフレーム（例えば第ｎ＋１フレーム）のアップリンクのスケジューリングに着目すると、α＝１のコネクションは１つ前の第ｎフレームで割り当てが実施され、α＝０のコネクションは１フレーム遅れる第ｎ＋１フレームで割り当てが実施される。このため過負荷状態では、予約外の帯域の割り当て処理において、結果的にα＝０のコネクションよりもα＝１のコネクションの方が優先的に処理されることになる。そこで、α＝０となる能力を備えた端末であっても、サービスクラスとしてα＝０としての動作を必要としない場合には、α＝１として運用することにしてもよい。または、各フレームで割り当てしきれない積み残しのデータが存在する場合には、それらを次のフレームで優先的に割り当てるようにしてもよい。以上の例外的な処理を許容しつつ、基本的には図１および図２に示す処理により本発明は実現可能である。
【００３３】
このように、本発明のスケジューリング処理の特徴は、Allocation Start Time の値αが１のコネクションと０のコネクションを混在して運用している点である。なお、ダウンリンクのスケジューリング部分であるステップS204〜S206は、図７に示した従来技術と同一処理内容である。
【００３４】
図３は、本発明におけるＵＬ−ＭＡＰによるアップリンクバーストの割り当ての概要を示す。
図６に示す従来方式との違いは、フレーム＃ｎのＵＬ−ＭＡＰ１６−１が同一フレーム内のアップリンクバースト１２−１の割り当てを行い、フレーム＃ｎ＋１のＵＬ−ＭＡＰ１６−２が同一フレーム内のアップリンクバースト１２−２の割り当てを行うところにある。これは、図１に示した処理手順において、α＝０として運用するように登録した端末に対する動作であり、α＝１として運用するように登録した端末に対しては従来通りに図６の割り当てを行う。本発明では、端末ごとのAllocation Start Time の最適値αに応じた処理を可能にするところにある。
【００３５】
図４は、本発明におけるアップリンクの送信処理動作を示す。ここでは、フレーム＃ｎ＋１のアップリンクの割り当ては、フレーム＃ｎ＋１のＵＬ−ＭＡＰ１６−２で行われる。端末側は、ＵＬ−ＭＡＰ１６−２の受信処理を行い、この受信処理が完了した時刻ｔ４の時点で送信バッファ内に収容されているデータをアップリンクバースト１２−２に収容して送信する。すなわち、時刻t2からt4の間に到着するデータは、同一のフレーム＃ｎ＋１のアップリンクバースト１２−２に収容して送信される。
【００３６】
このように、同一フレームのアップリンクバーストによる送信可能な端末に対しては、選択的に同一フレームのアップリンクに対してＵＬ−ＭＡＰで割り当てを行うことにより、次のフレームのアップリンクバーストで送信する場合に比べて１フレーム分だけの処理遅延の短縮が可能となる。
【図面の簡単な説明】
【００３７】
【図１】本発明におけるAllocation Start Time の最適値確認処理手順を示すフローチャート。
【図２】本発明におけるスケジューリング処理手順を示すフローチャート。
【図３】本発明におけるＵＬ−ＭＡＰによるアップリンクバーストの割り当ての概要を示すタイムチャート。
【図４】本発明におけるアップリンクの送信処理動作を示すタイムチャート。
【図５】ＷｉＭＡＸにおけるフレーム構成を示す図。
【図６】ＷｉＭＡＸにおけるＵＬ−ＭＡＰによるアップリンクバーストの割り当ての概要を示すタイムチャート。
【図７】従来技術におけるスケジューリング処理手順を示すフローチャート。
【図８】従来技術におけるアップリンクの送信処理動作を示すタイムチャート。
【符号の説明】
【００３８】
１１  ダウンリンクサブフレーム
１２  アップリンクサブフレーム
１３  プリアンブル信号
１４  フレーム制御ヘッダ（ＦＣＨ）
１５  ＤＬ−ＭＡＰ
１６  ＵＬ−ＭＡＰ
１７  ダウンリンクバースト
１８  アップリンクバースト
【図１】
2010124203.tif 000003
【図２】
2010124203.tif 000004
【図３】
2010124203.tif 000005
【図４】
2010124203.tif 000006
【図５】
2010124203.tif 000007
【図６】
2010124203.tif 000008
【図７】
2010124203.tif 000009
【図８】
2010124203.tif 000010